(57)【要約】      （修正有）【課題】接着剤を使用しないで、第１枠部とは第２枠部とを接合することができ、また、最初に室内装飾用飾り窓を壁に組み込む際や、後に中板の交換をする際に、壁と室内装飾用飾り窓との間の隙間の処理が容易で、工事費用の低減が可能な室内装飾用飾り窓を提供する。【解決手段】家屋の中に設置された壁を刳り貫いて壁のなかに設置する室内装飾用飾り窓を、中央部分が開口している第１枠部１０１と、第１枠部に収める中板１０５と、中央部分が開口している第２枠部１０２とを備え、第１枠部の一方の端面をＬ字型に削って中板設置部１０４を設けるとともに、第２枠部の端面に接合部１０３を設け、接着剤を使用しないで、第１枠部と第２枠部とを接合させることができ、また、第１枠部と第２枠部に化粧枠２０１，２０２を設けて、壁の中に室内装飾用飾り窓を設置した際に、化粧枠が壁と室内装飾用飾り窓との間の隙間を隠すように構成する。【選択図】図２
0003138772.tif 000002
【実用新案登録請求の範囲】
【請求項１】
家屋の中に設置された壁を刳り貫いて、壁のなかに設置する室内装飾用飾り窓であって、
中央部分が開口している第１枠部と、
中板と、
中央部分が開口している第２枠部と、を具備した室内装飾用飾り窓において、
前記第１枠部には一方の端面の内側にＬ字形に削られた中板設置部を有し、
前記第２枠部は一方の端面の外側にＬ字型に削られた接合部を有し、
前記第１枠部の前記中板設置部に前記中板を設置して、前記中板が設置された前記第１枠部の前記中板設置部に第２枠部の前記接合部を押し込むことにより前記第１枠部と前記第２枠部とを接着剤を使用することなく接合できることを特徴とする室内装飾用飾り窓。
【請求項２】
請求項１に記載の室内装飾用飾り窓において、
前記第１枠部の前記中板設置部が設置されていない側の端の外周にリング状の凸部（以下「化粧枠」ともいう）が形成され、
前記第２枠部の前記接合部が設置されていない側の端の外周にリング状の凸部が形成され、
前記第１枠部を壁の開口部に挿入したときに、前記リング状の凸部は前記壁の開口部の中には入らず、前記第１枠部と前記開口部との間の隙間を隠すことができ、
前記第２枠部を壁の開口部に挿入したときに、前記凸部は前記壁の開口部の中には入らず、前記第２枠部と前記開口部との間の隙間を隠すことができるように構成されていることを特徴とする室内装飾用飾り窓。
【請求項３】
前記請求項１または2に記載の室内装飾用飾り窓において、
前記第１枠部と前記第２枠部とは、竹または竹集成材よりなることを特徴とする室内装飾用飾り窓。
【請求項４】
前記請求項１または2に記載の室内装飾用飾り窓において、
前記第１枠部と前記第２枠部とは、木材または木質集成材よりなることを特徴とする室内装飾用飾り窓。
【請求項５】
前記請求項１乃至４のいずれかに記載の室内装飾用飾り窓において、
前記中板は、樹脂板またはガラス板であることを特徴とする室内装飾用飾り窓。
【請求項６】
前記請求項１乃至４のいずれかに記載の室内装飾用飾り窓において、
前記中板は、和紙を透明な塩化ビニール樹脂で両面からラミネートしたものであることを特徴とする室内装飾用飾り窓。
【考案の詳細な説明】
【技術分野】
【０００１】
本考案は壁にはめ込んで室内の装飾用とする室内装飾用飾り窓に関する。
【背景技術】
【０００２】
家屋の中の、部屋と部屋または通路の間を区切る壁の一部を開口して、装飾用の飾り窓が設置される場合がある。文献１に記載の室内装飾用飾り窓は、一方の枠（第１枠部）の内側に溝（中板設置部）が設けられ、その溝に半透明の中板を設置し、この中板を挟むように第１枠部と第２枠部とが接合しているという構造を有していた。
【０００３】
文献１に記載の室内装飾用飾り窓の場合には、第１枠部と第２枠部とは平らな端面で接しているだけであったので、しっかりと接合するためには端面同士を接着剤を使用して接着させる必要があった。
【特許文献１】実登第３１３０９４１号公報
【考案の開示】
【考案が解決しようとする課題】
【０００４】
しかしながら、接着剤を使用して固定すると、中板を変えたいような場合に取替え工事が困難で、室内装飾用飾り窓を破壊しなければならないような場合もあった。図に基づいて説明する。
【０００５】
図３は文献１に記載の室内装飾用飾り窓の展開斜視図である。
図３において、１０１は第１枠部であり、１０２は第２枠部であり、１０５は中板であり、１０４は中板設置部である。
【０００６】
図７は文献１に記載の室内装飾用飾り窓の正面図である。
【０００７】
図８は図７の文献１に記載の室内装飾用飾り窓のＸ−Ｘ切断線断面図である。なお、図８において第２枠部は第１枠部より離して図示されている。
図８において、７０１は第１枠部の中板設置部１０４に中板１０５を設置したときに生じる隙間であり、７０２は第２枠部１０２の第１枠部側の端面であり、７０３は第１枠部１０１の第２枠部側の端面である。
【０００８】
文献１に記載の室内装飾用飾り窓においては、第１枠部１０１の端面７０３と第２枠部１０２の端面７０２とはともに平坦であったので、中板１０５を第１枠部の中板設置部１０４に設置して、第１枠部と第２枠部とを接合するためには第１枠部１０１の端面７０３と第２枠部１０２の端面７０２とを接着剤を用いて接着させる必要があった。なお、隙間７０１は中板１０５が室温の変化により膨張したり、収縮するときの「あそび」として確保しておく必要があるものである。この隙間７０１がないと、中板１０５に室温の変化により歪みが生じてしまう。第１枠部１０１の端面７０３と第２枠部１０２の端面７０２とを接着剤で接着してしまうと、中板１０５を交換するために第１枠部１０１または／および第２枠部１０２を破壊しなければならないような場合も多かった。
【０００９】
また、別の課題として、室内装飾用飾り窓を壁に設けた穴に設置する場合に手間を要する作業として、壁に設けた穴と第１枠部１０１および第２枠部１０２との間の隙間の処理があった。図に基づいて説明する。
【００１０】
図１０は文献１に記載の室内装飾用飾り窓を壁の開口部に設置する際の様子を示す説明用断面図である。
図１０において、８０５は壁であり、８０１は壁の開口部であり、８０３は壁の開口部８０１と室内装飾用飾り窓の間の隙間であり、８０２は壁の開口部周辺の表面である。
室内装飾用飾り窓を壁の開口部８０１に設置する際には、室内装飾用飾り窓と壁の開口部８０１との間に微細な隙間８０３ができる。この隙間は、一般的には、壁の開口部周辺の表面８０２のクロス処理等によって埋める。新築と同時に室内装飾用飾り窓を壁の開口部８０１に設置する場合は、クロス処理を施しやすいが、新築工事でない場合には、別途クロス処理が必要となり手間がかかる作業であった。
【００１１】
そこで、本考案は、接着剤を使用しないで、第１枠部とは第２枠部とを接合させながら室内装飾用飾り窓を壁に組み込むことができ、さらに、室内装飾用飾り窓を壁に組み込む際や中板の交換をする際においても、壁と室内装飾用飾り窓との間の隙間の処理を容易に行うことができ、室内装飾用飾り窓の設置と中板の交換が容易で、工事費用の低減を可能とする室内装飾用飾り窓を提供することを目的とする。
【課題を解決するための手段】
【００１２】
請求項１に記載された考案は、家屋の中に設置された壁を刳り貫いて、壁のなかに設置する室内装飾用飾り窓であって、
中央部分が開口している第１枠部と、
中板と、
中央部分が開口している第２枠部と、を具備した室内装飾用飾り窓において、
前記第１枠部には一方の端面の内側にＬ字形に削られた中板設置部を有し、
前記第２枠部は一方の端面の外側にＬ字型に削られた接合部を有し、
前記第１枠部の前記中板設置部に前記中板を設置して、前記中板が設置された前記第１枠部の前記中板設置部に第２枠部の前記接合部を押し込むことにより前記第１枠部と前記第２枠部とを接着剤を使用することなく接合できることを特徴とする。
【００１３】
請求項２に記載された考案は、請求項１に記載の室内装飾用飾り窓に係り、
前記第１枠部の前記中板設置部が設置されていない側の端の外周に、リング状の凸部が形成され、
前記第２枠部の前記接合部が設置されていない側の端の外周に、リング状の凸部が形成され
前記第１枠部を壁の開口部に挿入したときに、前記リング状の凸部は前記壁の開口部の中には入らず、前記第１枠部と前記開口部との間の隙間を隠すことができ、
前記第２枠部を壁の開口部に挿入したときに、前記凸部は前記壁の開口部の中には入らず、前記第２枠部と前記開口部との間の隙間を隠すことができるように構成されていることを特徴とする。
【００１４】
請求項３に記載された考案は、前記請求項１または2に記載の室内装飾用飾り窓に係り、
前記第１枠部と前記第２枠部とは、竹または竹集成材よりなることを特徴とする。
【００１５】
請求項４に記載された考案は、前記請求項１または2に記載の室内装飾用飾り窓に係り、
前記第１枠部と前記第２枠部とは、木材または木質集成材よりなることを特徴とする。
【００１６】
請求項５に記載された考案は、前記請求項１乃至４のいずれかに記載の室内装飾用飾り窓に係り、
前記中板は、樹脂板またはガラス板であることを特徴とする室内装飾用飾り窓。
【００１７】
請求項６に記載された考案は、前記請求項１乃至４のいずれかに記載の室内装飾用飾り窓に係り、
前記中板は、和紙を透明な塩化ビニール樹脂で両面からラミネートしたものであることを特徴とする。
【００１８】
和紙を透明な塩化ビニール樹脂で両面からラミネートしたものは、外観的には障子のような風合いがあり、和風の家屋により調和することに着目したものである。
【考案の効果】
【００１９】
本考案に係る室内装飾用飾り窓によれば、接着剤を使用しないで、第１枠部とは第２枠部とを接合させながら室内装飾用飾り窓を壁の中に組み込むことができ、さらに、最初に室内装飾用飾り窓を壁に組み込む際や、後で中板の交換をする際においても、壁と室内装飾用飾り窓との間の隙間の処理を容易に行うことが可能であり、室内装飾用飾り窓を最初に壁に埋め込む場合及び埋め込まれた室内装飾用飾り窓の中板を交換する際の工事費用を低減することが可能となる。
【考案を実施するための最良の形態】
【００２０】
（実施の形態１）
以下、図を参照しつつ、考案を実施するための最良の形態につき説明する。
図１は本考案の実施の形態１に係る室内装飾用飾り窓の展開斜視図である。
図１において、１０１は第１枠部であり、１０２は第２枠部であり、１０５は中板であり、１０４は中板設置部であり、１０３は第２枠部に形成された接合部である。
【００２１】
本考案の実施の形態に係る室内装飾用飾り窓の中板１０５は半透明である。ただし、中板は半透明なものに限定されるわけではない。
第１枠部は中板１０５を収めるための開口部を有する。また、一方の端面に、中板１０５を収めるために、削った後の断面がＬ字状になるように削った中板設置部１０４を有する。ただし、中板設置部１０４は異なる方法によって製造してもよい。
【００２２】
第２枠部も中板１０５を収めるための開口部を有する。そして、一方の端面に、第１枠部の中板設置部１０４に設置された中板１０５を隙間を確保しつつ飛び出さないようにしつつ、第１枠部と第２枠部とを接合させるための接合部１０３を有する。該接合部１０３も、第２枠部の端面を削って作成する。ただし、異なる方法によって、作成してもよい。
【００２３】
図に基づいて、第１枠部と第２枠部とが接合される構成について説明する。
図４は本考案の実施の形態１に係る室内装飾用飾り窓の正面図である。
また、図５は図４のＹ−Ｙ切断線断面図であって、第１枠部と第２枠部とが接合する前の状態を示す断面図である。
図６は図４のＹ−Ｙ切断線断面図であって、第１枠部と第２枠部とが接合した後の状態を示す断面図である。
図６において、６０１は第１枠部の中板設置部１０４に設置された中板１０５と第２枠部の接合部１０３との間の隙間であり、６０２は第１枠部の中板設置部１０４と第２枠部の接合部１０３とが接合している接合面である。
本考案の実施の形態１に係る室内装飾用飾り窓は、第１枠部の中板設置部１０４に中板を設置した後に、第２枠部を第２枠部の接合部１０３を第１枠部の中板設置部１０４に噛み合わせるように押し込む。このように第１枠部と第２枠部とを接合することによって、接着剤を用いることなく、第１枠部と第２枠部とを接合させることができる。
【００２４】
また、中板１０５を交換する場合に、第２枠部を第１枠部から離すことが可能となる。
なお、枠部の材料は竹または竹集成材である。竹または竹集成材の場合には特に和風の家屋にマッチするからである。また、枠部の材料は木材または木質集成材でもよい。さらには、木質系以外の材料であってもよい。
【００２５】
（実施の形態２）
次に、図を参照しつつ、考案を実施するための実施の形態２につき説明する。
図２は本考案の実施の形態２に係る室内装飾用飾り窓の展開斜視図である。
図２において、１０１は第１枠部であり、１０２は第２枠部であり、１０５は中板であり、１０４は中板設置部であり、１０３は第２枠部に形成された接合部である。また、２０１は第１枠部の中板設置部が設置されていない側の端の外周に形成されたリング状の凸部の化粧枠である。２０２も同様に、第２枠部の接合部１０３が設置されていない側の端の外周に形成されたリング状の凸部の化粧枠である。
【００２６】
実施の形態２に係る室内装飾用飾り窓の特徴は、第１枠部に化粧枠２０１が設置され、同様に、第２枠部に化粧枠２０２が設置されていることである。
【００２７】
この化粧枠２０１、２０２により、本考案の実施の形態２に係る室内装飾用飾り窓を壁の中に設置した場合、壁にあけた穴と、実施の形態２に係る室内装飾用飾り窓との間の接合部の処理が容易となり、設置工事にかかるコストを低減できる。
以下図に基づいて説明する。
【００２８】
図９は本考案の実施の形態２に係る室内装飾用飾り窓が壁の中に設置された後の状態を示す断面図である。
文献１に係る室内装飾用飾り窓または実施の形態１に係る室内装飾用飾り窓を壁の開口部の中に設置した場合、図１０に示されているように、どうしても室内装飾用飾り窓と開口部との間に隙間８０３が生じてしまい、この隙間に対してクロス処理等を施す必要があった。
【００２９】
しかし、実施の形態２に係る室内装飾用飾り窓を用いれば、図９に示されているように化粧枠２０１、２０２が隙間８０３を塞ぐので、この隙間に対してクロス処理等を施す必要がなくなり設置工事にかかるコストを低減することが可能となる。
【００３０】
なお、枠部の材料は竹または竹集成材である。竹または竹集成材の場合には特に和風の家屋にマッチするからである。また、枠部の材料は木材または木質集成材でもよい。さらには、木質系以外の材料であってもよい。
【図面の簡単な説明】
【００３１】
【図１】本考案の実施の形態１に係る室内装飾用飾り窓の展開斜視図である。
【図２】本考案の実施の形態２に係る室内装飾用飾り窓の展開斜視図である。
【図３】文献１に記載の室内装飾用飾り窓の展開斜視図である。
【図４】本考案の実施の形態１に係る室内装飾用飾り窓の正面図である。
【図５】図４のＹ−Ｙ切断線断面図であって、第１枠部と第２枠部とが接合する前の状態を示す断面図である。
【図６】図４のＹ−Ｙ切断線断面図であって、第１枠部と第２枠部とが接合した後の状態を示す断面図である。
【図７】文献１に記載の室内装飾用飾り窓の正面図である。
【図８】図７の文献１に記載の室内装飾用飾り窓のＸ−Ｘ切断線断面図である。
【図９】本考案の実施の形態２に係る室内装飾用飾り窓が壁の中に設置された後の状態を示す断面図である。
【図１０】文献１に記載の室内装飾用飾り窓を壁の開口部に設置する際の様子を示す説明用断面図である。
【符号の説明】
【００３２】
１０１      第１枠部
１０２      第２枠部
１０３      接合部
１０４      中板設置部
１０５      中板
２０１      化粧枠
２０２      化粧枠
【図１】
0003138772.tif 000003
【図２】
0003138772.tif 000004
【図３】
0003138772.tif 000005
【図４】
0003138772.tif 000006
【図５】
0003138772.tif 000007
【図６】
0003138772.tif 000008
【図７】
0003138772.tif 000009
【図８】
0003138772.tif 000010
【図９】
0003138772.tif 000011
【図１０】
0003138772.tif 000012